(57)【要約】【課題】挟帯域光フィルタリングの結果発生するＩＳＩペナルティを軽減するための方法及び装置を提供すること。【解決手段】フィルタ通過帯域の透過率プロファイルに所望の損失リップルを呈示する光フィルタ装置を使用して多重チャンネル光信号をフィルタすることにより、挟帯域光フィルタリングからの符号間干渉（ＩＳＩ）を軽減し、伝送性能を改善するための方法及び装置。【選択図】図１
2006106740.tif 000002
【特許請求の範囲】
【請求項１】
多重チャンネル光信号を伝送するための装置であって、挟帯域光フィルタリングのための光フィルタ装置を備え、前記光フィルタ装置が、前記挟帯域光フィルタリングからの符号間干渉（ＩＳＩ）を軽減するために前記光フィルタ装置のフィルタ通過帯域の透過率プロファイルに所望の損失リップルを呈示しており、それによって前記多重チャンネル光信号の１つ又は複数のチャンネルに対する前記伝送の性能が改善される装置。
【請求項２】
前記損失リップルが、前記フィルタ通過帯域の中心に透過率ディップを生成する請求項１に記載の装置。
【請求項３】
前記損失リップルの周期、振幅及び位相が、前記伝送の特性を改善するように選定される請求項１に記載の装置。
【請求項４】
前記損失リップルの周期が、前記多重チャンネル光信号のチャンネル間隔を整数で除した値に等しい請求項１に記載の装置。
【請求項５】
前記損失リップルが、複数次のＩＳＩを軽減するために様々の周波数、振幅、及び位相を有する複数のリップルを含む請求項１に記載の装置。
【請求項６】
前記光フィルタ装置が、光アド／ドロップ・マルチプレクサ、マルチプレクサ、デマルチプレクサ、及び光インターリーバから成るグループから選択した一装置である請求項１に記載の装置。
【請求項７】
前記光フィルタ装置が光信号をフィルタし、それによって
【数１】
2006106740.tif 000012
が得られ、ここでＴＤが透過率ディップのピーク〜ピーク振幅、ＢＲｍａｘが最大ビット・レート、Δｆ３−ｄＢが３ｄＢ帯域幅である請求項１に記載の装置。
【請求項８】
多重チャンネル光信号の伝送のための光伝送システムであって、前記伝送システム内に配布された、挟帯域光フィルタリングのための複数の光フィルタ装置を備え、前記各光フィルタ装置が、前記挟帯域光フィルタリングからの符号間干渉（ＩＳＩ）を軽減するために前記光フィルタ装置の前記フィルタ通過帯域の前記透過率プロファイルに所望の損失リップルを呈示しており、それによって前記多重チャンネル光信号の１つ又は複数のチャンネルに対する前記伝送の性能が改善される光伝送システム。
【請求項９】
光フィルタ装置を使用して多重チャンネル光信号を挟帯域光フィルタリングする工程を含む光伝送のための方法であって、
前記光フィルタ装置が、前記挟帯域光フィルタリングからの符号間干渉（ＩＳＩ）を軽減するために前記光フィルタ装置の前記フィルタ通過帯域の前記透過率プロファイルに所望の損失リップルを呈示しており、それによって前記多重チャンネル光信号の１つ又は複数のチャンネルに対する前記伝送の性能が改善される方法。
【請求項１０】
前記光フィルタ装置が多重チャンネル光信号をフィルタし、それによって
【数２】
2006106740.tif 000013
が得られ、ここでＴＤが透過率ディップのピーク〜ピーク振幅、ＢＲｍａｘが最大ビット・レート、Δｆ３−ｄＢが３ｄＢ帯域幅である請求項９に記載の方法。
【発明の詳細な説明】
【技術分野】
【０００１】
本発明は、概して光伝送、より具体的には符号間干渉（ＩＳＩ）に起因するペナルティを軽減するための方法及び装置に関する。
【背景技術】
【０００２】
光アド／ドロップ・マルチプレクサ（ＯＡＤＭ）は、波長分割多重方式（ＷＤＭ）伝送システムにおける柔軟な波長管理のための主要なイネーブラ（ｅｎａｂｌｅｒ）である。しかし、挟帯域光フィルタリングを提供する複数のＯＡＤＭを直列で又はその他のデバイスを含む高データ速度伝送システム（例えば４０Ｇｂ／ｓ）は、挟帯域光フィルタリングに起因する重大なＩＳＩを被る可能性がある。ＩＳＩは、各ビット・スロットの信号のその他のビット・スロットへの拡散である。この拡散は、デジタル伝送システムでアイの開きを閉じ、システム性能の低下につながる。
【０００３】
挟帯域光フィルタリングからのＩＳＩを軽減するための従来技術による一解決策は、より狭い光周波数帯をもつ伝送フォーマットを使用することである。しかし、挟帯域伝送フォーマットを使用することは、そのような伝送フォーマットが非直線性及びノイズに対してより敏感である可能性があるので、常に実行可能又は望ましいとは限らない。さらにこのような解決策は、従来式の（挟帯域でない）変調フォーマットを使用するシステムには適用できない。
【０００４】
従来技術による他の解決策は、電子イコライザ（ｅｌｅｃｔｒｏｎｉｃ  ｅｑｕａｌｉｚｅｒ）を使用することである。しかし、電子イコライザの有効性は、従来式二乗検波で光位相情報が失われるので基本的に制限される。さらに４０Ｇｂ／ｓ以上での電子イコライザは、通常８０ＧＨｚより高い帯域幅を伴う電子装置を必要とするので多くの適用例で実用的ではない。
【０００５】
従来技術による他の解決策は、光フィルタを行った後の歪んだ信号を光学的に均一化するためにイコライザ装置を使用することである。Ｃ．Ｄ．Ｄｏｅｒｒ他による「Ｓｉｍｐｌｅ  Ｍｕｌｔｉｃｈａｎｎｅｌ  Ｏｐｔｉｃａｌ  Ｅｑｕａｌｉｚｅｒ  Ｍｉｔｉｇａｔｉｎｇ  Ｉｎｔｅｒｓｙｍｂｏｌ  Ｉｎｔｅｒｆｅｒｅｎｃｅ  ｆｏｒ  ４０−Ｇｂ／ｓ  Ｎｏｎｒｅｔｕｒｎ−Ｔｏ―Ｚｅｒｏ  Ｓｉｇｎａｌｓ」が、このような装置について論議している。提案された光学的イコライザは、誘発されているＩＳＩペナルティを補償するための追加の光学的追加構成要素として紹介されておりマッハ・ツェンダー干渉計を採用している。しかしこのような解決策は商用アプリケーション全てに適切であるわけではない。
【０００６】
【非特許文献１】Ｃ．Ｄ．Ｄｏｅｒｒ他「Ｓｉｍｐｌｅ  Ｍｕｌｔｉｃｈａｎｎｅｌ  Ｏｐｔｉｃａｌ  Ｅｑｕａｌｉｚｅｒ  Ｍｉｔｉｇａｔｉｎｇ  Ｉｎｔｅｒｓｙｍｂｏｌ  Ｉｎｔｅｒｆｅｒｅｎｃｅ  ｆｏｒ  ４０−Ｇｂ／ｓ  Ｎｏｎｒｅｔｕｒｎ−Ｔｏ―Ｚｅｒｏ  Ｓｉｇｎａｌｓ」
【発明の開示】
【発明が解決しようとする課題】
【０００７】
本発明は、挟帯域光フィルタリングの結果発生するＩＳＩペナルティを軽減するための方法及び装置を提供する。好ましい一実施形態に、多重チャンネル光信号を伝送するための一装置が提供されている。装置は、挟帯域光フィルタリングのための光フィルタ装置を含む。光フィルタ装置は、挟帯域光フィルタリングからのＩＳＩを軽減し、多重チャンネル光信号の１つ又は複数のチャンネルに対する伝送性能を改善するようにフィルタ通過帯域の透過率プロファイルに所望の損失リップルを呈示している。
【課題を解決するための手段】
【０００８】
本発明による方法の好ましい一実施形態では、多重チャンネル光信号が、光フィルタリング装置を使用して挟帯域フィルタされる。光フィルタ装置は、挟帯域光フィルタリングからのＩＳＩを軽減し、多重チャンネル光信号の１つ又複数のチャンネルに対する伝送性能を改善するようにフィルタ通過帯域の透過率プロファイルに所望の損失リップルを呈示している。
【０００９】
前記概要並びに本発明の好ましい実施形態に対する以下の詳細な説明は、添付図面と共に読めばよりよく理解されよう。本発明を説明するために、図面に現状で好ましい実施形態を図示する。しかし本発明は、図示の仕組み及び手段に厳密に制約されるものではないことを理解されたい。
【発明を実施するための最良の形態】
【００１０】
ＬＲに関連する、周波数に依存する振幅変調は、一般的に正弦関数のフーリエ和（Ｆｏｕｒｉｅｒ  ｓｕｍ）で表すことができ、その各項は：
【数１】
2006106740.tif 000003
【００１１】
ここでＩｐｐ及びｆｐは、それぞれＬＲ構成要素の（従来の損失リップル明細にしたがって）ｄＢ表示したピーク〜ピーク振幅及び周期でありφ０は、信号周波数とその直近の透過率ピークの間のオフセットに関連するＬＲの位相である。（本明細書では、ＬＲは、フィルタの通過帯域応答のピーク〜ピークの変化を指す。）ｆ＝０が信号周波数の中心周波数に選ばれているので、（１）式から透過率のピークが信号スペクトルの中心に一致するときφ０＝π／２となる。シングル・パルス（「１」）のＬＲの歪んだ時間プロファイルを次のように書くことができる：
【数２】
2006106740.tif 000004
【００１２】
ここでＡ（ｆ）は、ａ（ｔ）のフーリエ変換であり、元のパルスの時間プロファイルである。
ベッセル関数の母関数を使用して、
【数３】
2006106740.tif 000005
【００１３】
ここで、Ｊｎ（ｚ）は、第１種ベッセル関数であり、下記を得る：
【数４】
2006106740.tif 000006
【００１４】
ＬＲによって誘導された小さな／中位の歪のための１次項を保持すると、（Ｊ０（Ｚ）＝１とＪ±１（Ｚ）＝±Ｚ／２を用いることにより）下記を得る
【００１５】
【数５】
2006106740.tif 000007
【００１６】
式（５）は、歪んだパルスが、第１次項までは元のパルスと、共通の相対振幅Ｉｎ（１０）Ｉｐｐ／４０並びに±φ０−π／２の位相及び±１／ｆｐの遅れをそれぞれ有する２つの散乱パルスによって成ることを明らかにしている。サテライト・パルス（ｓａｔｅｌｌｉｔｅ  ｐｕｌｓ）は、時間的に元のパルスから±１／ｆｐ離れており、ＬＲは、そのサテライト・パルスを分散させることに関して群遅延リップル（グループ・ディレイ・リップル（ＧＤＲ））と同様に振舞うが、ＬＲによって誘導されたサテライト・パルスは、ＧＤＲによって誘導されたものに比べるとその振幅及び位相の振舞いが違っていることが注目される。より具体的には、ＬＲによって誘導されたサテライト・パルスの振幅はリップル周期に依存せず、したがって信号のビット・レート（ＢＲ）がＬＲの周期の倍数、つまりｆｐ＝ＢＲ／ｎ  （ｎ＝１，２，３，…）の時には常に強いＩＳＩが存在する。これが、ｆｐがＢＲより小さいときペナルティのｆｐへの依存性に「発振動作」（ｏｓｃｉｌｌａｔｉｏｎ  ｂｅｈａｖｉｏｒ）をもたらすが、これはＢＲがＧＤＲの周期に近いときにだけ最悪のペナルティが起こるＧＤＲのケースとは異なる。一方、リップルの周期がＢＲを越えて増加するにつれ元のパルスと散乱パルスの間の時間オフセットがビット周期Ｔ（Ｔ＝１／ＢＲ）より小さくなり、ＬＲによって誘導されたＩＳＩは急速に減少する。さらにＬＲによって誘導されたサテライト・パルスの位相の挙動が興味深い。φ０＝π／２のとき（つまり信号周波数が伝達率のピークと一致する場合）２つのサテライト・パルスは両方共に元のパルスの位相と同相になる。（狭帯域光フィルタリングは、φ０＝π／２の場合の特例であると見ることができる。）φ０＝３π／２では（つまり信号周波数が透過率の谷点と一致する）２つのサテライト・パルスは両方共に元のパルスから位相がずれる。この事実を有利に使用して、狭帯域光フィルタリングによってもたらされたペナルティを軽減することができる。
【００１７】
図１Ａ〜Ｄに示されているアイ・ダイヤグラムは、Ｉｐｐ＝５ｄＢ及びｆ＝１×ＢＲを有するＬＰからのひずみを伴うＲＺ−ＯＯＫ伝送をシミュレートしたものである。このパルスのデューティ・サイクルを３３％と仮定する。φ０＝０又はπでは「１」とそのサテライトとの位相差はπ／２であり、「０」は「１」よりもっとグレードを落としている。φ０＝π／２（３π／２）では位相差は０（π）であり、「１」は「０」よりもっとグレードを落としている。差動位相シフト・キード（ＤＰＳＫ）伝送が、（ＯＯＫによるのと）同様にＬＲによってインパクトを受けることも判明している。
【００１８】
プリアンプにより光学的に増幅される受信器をもつシステムにおける、ＬＲにより誘導されたＯＳＮＲペナルティも評価されている。ペナルティの要因は、下記のように定義することができる：
【数６】
2006106740.tif 000008
【００１９】
これは、ノイズの分布が光学場ドメインでガウス分布のようになると仮定すると光の信号対ノイズ比（ＯＳＮＲ）ペナルティに対応する。項ｒｅｍ（１／ｆｐ、Ｔ）は、１／ｆｐをＴで除した余りで、各サテライト・パルスとその最も近いビットの中心との時間的距離を表している。簡単にするために線形伝送及び理想的受信器を仮定する。ＧＤＲの場合とは異なり、ＬＲからのペナルティは、上述の「発振動作」があるので、短いものであるとは仮定することができないことに注意するべきである。ここでＣＥＣは、フィールド・ドメインで最悪なアイ・クロージャ係数である。ＯＯＫシステム（位相変調をもたない）では、多少の簡素化をすると：
ＣＥＣ＿ＯＯＫ＝ｍａｘ｛０、−ｓｉｎ（φ０）｝＋ｍａｘ｛１、２｜ｓｉｎ（φ０）｜｝
（７）
ここで、第１項ｍａｘ｛０、−ｓｉｎ（φ０）｝は「１」のＩＳＩの程度を、第２項ｍａｘ｛１、２｜ｓｉｎ（φ０）｜｝は「０」の最悪のＩＳＩの程度を表し、何れもパターンが「１００」及び「１０１」のものである。ＯＳＮＲペナルティ又はアイ・クロージャ係数を計算するときには、信号電力は、ＬＲを経た後再正規化されるものと仮定した。
【００２０】
ＤＳＰＫシステムでは、２つのタイプの「アイ・クロージャ」があり、１つは信号振幅において、もう一方は２つの隣接するビット間の相差においてである。変形すると、ＤＳＰＫに対するＬＲによる全体的なアイ・クロージャ係数は、下記のようになる：
ＣＥＣ＿ＤＳＰＫ＝ｍａｘ（２｜ｓｉｎ（φ０）｜、４｜ｃｏｓ（φ０）｜／π  ）（８）
ここで２｜ｓｉｎ（φ０）｜は、その程度が最悪である振幅アイ・クロージャに相当し、４ｃｏｓ｜（φ０）｜／πは、その程度が最悪である位相差アイ・クロージャに相当する。図２Ａ〜Ｂは、ＯＯＫ及びＤＳＰＫシステムにおいて全体的アイ・クロージャ・ペナルティ係数（ＬＲ及びＧＤＲ両方に対して）のφ０への依存性を示している。確かに、ＬＲはＧＤＲに比べると違った振舞いをする。
【００２１】
図３は、ＬＲによって誘導されたＯＳＮＲペナルティ（ｄＢによる）のＧＤＲ周期及びφ０＝π／２（又は３π／２）における振幅への依存性を等高線表示した図である。前述の「発振動作」がこのようにして観察される。送信器は理想的であると仮定する。当業者ならば、送信器が有限の消光比を有する場合、散乱パルスと「０」の信号場の間の干渉（又は位相差）が重要になることもあり、考慮の必要があることを理解されよう。
【００２２】
前述のようにφ０＝３π／２をもつＬＲは、φ０＝π／２をもつＬＲに対向するインパクトを有し、通過帯域の中心の透過率ディップ（φ０＝３π／２をもつＬＲ）は、狭帯域フィルタリングからのＩＳＩのある部分を実質上キャンセルすることができる。
【００２３】
本発明の態様を立証するためのテストが実施された。４２．７Ｇｂ／ｓのＮＲＺ−ＤＰＳＫ信号に、４３ＧＨｚ  ３ｄＢ  帯域幅をもつフラットトップ（３次の超ガウス分布（３ｒｄ  ｏｒｄｅｒ  ｓｕｐｅｒ−Ｇａｕｓｓｉａｎ））のチャンネル通過帯域を有する２つのインターリーバ（ＩＬｓ）を通過させた。
【００２４】
図４は、２つのＩＬｓを通過した後の信号スペクトルを測定し表示したもので、ＩＬｓの１つはＩｐｐ＝５ｄＢ、ｆｐ＝５０ＧＨｚ及びφ０＝３π／２をもつＬＲを伴いもう１方は伴わない。ＬＲは、２つの縦続接続された２０ｐｓ遅延干渉計（ｄｅｌａｙ−ｌｉｎｅ  ｉｎｔｅｒｆｏｒｅｍｅｔｅｒ）をもつ光学的イコライザによって生成され、その各々は様々な分割割合及び差動位相制御を有する。ＬＲは、通常ＧＤＲを伴うが、実験的なテストで使用したＬＲ発生器の設計では、本質的にＧＤＲに束縛されない動作が可能である。ピーク〜ピークＧＤＲの測定結果は、僅かに約１ｐｓまでであり、追加されるペラルティは無視できる。
【００２５】
図５Ａ〜Ｂは、４２．７Ｇｂ／ｓＮＲＺ−ＤＰＳＫ信号をそれぞれＬＲをもつフィルタとＬＲをもたないフィルタで狭帯域フィルタし、測定したアイ・ダイヤグラムを表示している。ＬＲをもって得られたアイは、ＬＲをもたないで得られたものに比べより開いておりかつより対称的である。約０．９ｄＢまでのＯＳＮＲマージンの改善が得られている（ＢＥＲ＝６Ｅ−５で）（個々の決定用閾値の最適化で）。ＬＲ発生器は、周期的なＬＲを発生させ、そのＬＲを使用してＷＤＭチャンネルの全てに対して同時にフィルタリング・ペナルティを軽減することができる。
【００２６】
本発明の態様のシステム・レベルの性能をテストするためにさらにテストを実施した。図６Ａ〜Ｂは、５０ＧＨｚ３ｄＢの帯域幅（３次の超ガウス分布状の）を有する６つの縦列接続ＩＬｓを通過させた４２．７ＧＨｚＮＲＺ−ＤＰＳＫ信号のアイ・ダイヤグラムをシミュレートしたものを示している。透過率ディップ、ＴＤ＝０．５ｄＢを各ＩＬで使用するとＯＳＮＲマージンが約１．５ｄＢ改善された。
【００２７】
したがって本発明の態様によれば、フィルタの通過帯域で透過率ディップを生成する特別な種類の損失リップルを使用して、狭帯域光フィルタリングに関連するペナルティを軽減することができる。
【００２８】
図７は、本発明の一実施形態によりＷＤＭ光信号をフィルタするための光フィルタ装置７００を図示している。光フィルタ７１０が、ｉ番目のチャンネルのためのフィルタ通過帯域の透過率プロファイルで所望の透過率ディップを（図７の差し込み図に図示するように）呈示している。光フィルタ装置７００の透過率ディップは、狭帯域光フィルタリングからのＩＳＩを軽減するように選択されることが好ましい。このような光フィルタ装置を採用した光通信装置は、システム内を伝送された多重チャンネル光信号の１つ又は複数のチャンネルのための伝送性能を改善させた。
【００２９】
図７の差し込み図には１つの周波数だけが図示されているが、ＷＤＭ伝送システムの多数のチャンネルのために透過率ディップを生成し、多数のチャンネルのために狭帯域光フィルタリングからのＩＳＩを軽減することができることを当業者ならば理解されよう。
【００３０】
図８は、本発明の一実施形態によるフィルタの透過率を図示し、その透過率は１００ＧＨｚの周期性をもつ透過率ディップ（ＴＤ）を呈示している。周期的な透過率ディップは正弦波の損失リップル（図８に図示するように）によって生成できる。透過率ディップが、多くのチャンネルに対してフィルタ通過帯域の中心で発生するように損失リップルを選定することが好ましい。
【００３１】
本発明による一実施形態で、多重光信号を伝送するための装置が提供されている。装置は、狭帯域光フィルタリングのための光フィルタ装置を含む。光フィルタ装置は、狭帯域光フィルタリングからのＩＳＩを軽減するために所望の損失リップルを、光フィルタ装置のフィルタ通過帯域の透過率プロファイルに呈示している。ＩＳＩを軽減させることによって、多重チャンネル光信号の１つ又は複数のチャンネルのための伝送性能が改善される。損失リップルは、光フィルタ装置のフィルタ通過領域の中央で透過率ディップを生成することが好ましい。損失リップルの周期、振幅及び位相は、装置の伝送特性を改善するように選定されることが好ましい。損失リップルの周期は、多重チャンネル光信号のチャンネル間隔を整数で除した値にほぼ等しいことが好ましい。一次ＩＳＩを軽減するための透過率ディップは約０．４ｄＢであることが望ましい。当業者ならば、損失リップルが、多数次のＩＳＩを軽減するために、様々な周波数、振幅及び位相をもつ多数のリップルから成ることもあることを理解されよう。
【００３２】
狭帯域光フィルタ装置は、例えば光学的アド／ドロップ・マルチプレクサ、マルチプレクサ、デマルチプレクサ、光学的インターリーバ、又は同等品であってもよい。狭帯域光フィルタ装置は、
【数７】
2006106740.tif 000009
になるように光信号をフィルタすることが好ましく、ここでＴＤは、伝送ディップで最小の伝送点から最大の伝送までを測定した透過率ディップ、ＢＲｍａｘは最大ビット・レート、Δｆ３−ｄＢは３ｄＢ帯域幅である。
【００３３】
本発明による他の実施形態では、多重チャンネル光信号を伝送するための一伝送システムが提供されている。このシステムは、狭帯域光フィルタリングのための複数の光フィルタ装置を備えることが好ましい。光フィルタ装置は、伝送装置内に配布することが好ましい。各光フィルタ装置は、狭帯域光フィルタリングからのＩＳＩを軽減するために、光フィルタ装置のフィルタ通過帯域の透過率プロファイルに所望の損失リップルを呈示し、それによって多重チャンネル光信号の１つ又は複数のチャンネルのための伝送性能が改善されることが好ましい。
【００３４】
各光フィルタ装置によって呈示される損失リップルは、通過帯域の中心で透過率ディップを生成することが好ましい。各光フィルタ装置のための損失リップルの周期は、多重チャンネル光信号のチャンネル間隔を整数で徐した値にほぼ等しいことが好ましい。各光フィルタ装置のための損失リップルの周期、振幅及び位相は、伝送特性が改善されるように選定することが好ましい。
【００３５】
各光フィルタ装置のための損失リップルは、多数次（ｏｒｄｅｒ）のＩＳＩを軽減するために、様々な周波数、振幅及び位相をもつ複数のリップルを含むこともある
狭帯域光フィルタ装置は、例えば光学的アド／ドロップ・マルチプレクサ、マルチプレクサ、デマルチプレクサ、光学的インターリーバ、又は同等品であってもよい。狭帯域光フィルタは、
【数８】
2006106740.tif 000010
になるように光信号をフィルタすることが好ましく、ここでＴＤは、伝送ディップで最小の伝送点から最大の伝送までを測定した透過率ディップ、ＢＲｍａｘは最大ビット・レート、Δｆ３−ｄＢは３ｄＢ帯域幅である。
【００３６】
本発明による他の実施形態では、光伝送のための方法が提供されている。方法は、光フィルタ装置を使用して多重チャンネル光信号を狭帯域フィルタするステップを含むことが好ましい。光フィルタ装置は、狭帯域光フィルタリングからのＩＳＩを軽減するために、光フィルタ装置のフィルタ通過帯域の透過率プロファイルに所望の損失リップルを呈示し、それによって多重チャンネル光信号の１つ又は複数のチャンネルのための伝送性能が改善されることが好ましい。
【００３７】
狭帯域光フィルタは、
【数９】
2006106740.tif 000011
になるように光信号をフィルタすることが好ましく、ここでＴＤは、伝送ディップで最小の伝送点から最大の伝送までを測定した透過率ディップ、ＢＲｍａｘは最大ビット・レート、Δｆ３−ｄＢは３ｄＢ帯域幅である。
【００３８】
上述の実施形態には、その広範な発明思想から逸脱することなく変更を加えることができることを当業者なら理解されよう。したがってこの発明は開示した特定の実施形態に限定されることなく、添付の特許請求の範囲に定義される本発明の精神及び範囲内で改変形態をカバーするものとする。
【図面の簡単な説明】
【００３９】
【図１】ゼロ復帰オンオフ・キード（ＲＺ−ＯＯＫ）光信号伝送のためのシミュレートしたアイ・ダイヤグラムである。
【図２】ＯＯＫ及びＤＰＳＫシステムにおけるφ０に対する総合的なアイ・クロージャ・ペナルティ（ｅｙｅ  ｃｌｏｓｕｒｅ  ｐｅｎａｌｔｙ  ｃｏｅｆｆｉｃｉｅｎｔ）係数の依存関係を示す図である。
【図３】損失リップル（ＬＲ）が誘導する光の信号対ノイズ比（ＯＳＮＲ）の、φ０＝π／２（又は３π／２）におけるリップル周期及び振幅に対する依存度の等高線を表示した図である。
【図４】ＬＲをもつインターリーバとＬＲをもたないインターリーバの２つのインターリーバを通過した後の４２．７Ｇｂ／ｓＮＲＺ−ＤＰＳＫ信号の光スペクトルを測定表示した図である。
【図５】４２．７Ｇｂ／ｓＮＲＺ−ＤＰＳＫ信号をそれぞれＬＲをもつフィルタとＬＲをもたないフィルタで狭帯域フィルタし、測定したアイ・ダイヤグラムを表示した図である。
【図６】４２．７Ｇｂ／ｓＮＲＺ−ＤＰＳＫ信号を、それぞれＬＲをもたないインターリーバ（ＩＬＳ）とＬＲをもつインターリーバ（ＩＬＳ）に縦列で６回通した後のアイ・ダイヤグラムをシミュレートして表示した図である。
【図７】本発明による一実施形態による光フィルタ装置のブロック図である。
【図８】本発明の態様を図示する図である。
【図１】
2006106740.tif 000014
【図２】
2006106740.tif 000015
【図３】
2006106740.tif 000016
【図４】
2006106740.tif 000017
【図５】
2006106740.tif 000018
【図６】
2006106740.tif 000019
【図７】
2006106740.tif 000020
【図８】
2006106740.tif 000021